(57)【要約】【課題】  経済的で使い勝手が良い吹き戻しを提供する。【解決手段】  口吹体５から空気を吹き込むと伸縮体２が伸び、空気を吹き込まない状態では、線状体３の弾性力によって伸縮体２が渦巻状に巻かれる吹き戻しであって、専管体４の一端部４１の内面に周方向に沿ったリング溝４３が設けられ、該リング溝４３に弾性変形自在なオーリング６が装着され、伸縮体２の一端部２１を専管体４の一端部４１内に挿入すると、オーリング６が伸縮体２の一端部２１を押圧して伸縮体２と専管体４とが接続され、押圧に抗して伸縮体２の一端部２１を専管体４の一端部４１から引き抜くと、伸縮体２が専管体４から取り外れる。【選択図】  図５
2017205226.tif 000002
【特許請求の範囲】
【請求項１】
筒状で変形自在な伸縮体と、弾性を有し前記伸縮体の長手方向に沿って配設された線状体と、筒状で一端部が前記伸縮体の一端部に接続される専管体と、筒状で前記専管体の他端部側に設けられ使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しであって、
前記専管体の一端部の内面に周方向に沿ったリング溝が設けられ、該リング溝に弾性変形自在なオーリングが装着され、
前記伸縮体の一端部を前記専管体の一端部内に挿入すると、前記オーリングが前記伸縮体の一端部を押圧して前記伸縮体と前記専管体とが接続され、前記押圧に抗して前記伸縮体の一端部を前記専管体の一端部から引き抜くと、前記伸縮体が前記専管体から取り外れる、
ことを特徴とする吹き戻し。
【請求項２】
前記リング溝は、前記専管体の他端部側から一端部側に向かって狭く形成され、
前記口吹体から空気を吹き込むと前記オーリングが前記専管体の一端部側に位置する、
ことを特徴とする請求項１に記載の吹き戻し。
【請求項３】
前記専管体の一端部側に位置した前記オーリングを前記専管体の他端部側に移動させるための移動手段が、前記専管体の一端部に設けられている、
ことを特徴とする請求項２に記載の吹き戻し。
【発明の詳細な説明】
【技術分野】
【０００１】
この発明は、吹き戻しに関し、特に、経済的な吹き戻しに関する。
【背景技術】
【０００２】
吹き戻しは、古くから吹き戻し玩具として知られている。この吹き戻しは、筒状の伸縮体（袋状部）の長手方向に沿って線状のバネ材が配設され、伸縮体の一端部から空気を吹き込むと伸縮体が伸び、空気を吹き込まない状態では、バネ材の弾性力によって伸縮体が渦巻状に巻かれるものである。
【０００３】
このような吹き戻しは、従来、主に子供の玩具として使用されていたが、健康促進や治療、美容などの目的に利用可能な吹き戻しが知られている（例えば、特許文献１参照。）。この吹き戻しは、抗菌性の柔軟材料から形成されたマウスピースを、吹き込み部に着脱自在に備えることで、長期間の繰り返し使用によっても衛生状態を良好に保ち得るものである。
【先行技術文献】
【特許文献】
【０００４】
【特許文献１】実用新案登録第３１３７９４４号公報
【発明の概要】
【発明が解決しようとする課題】
【０００５】
ところで、伸縮体は、通常、紙材で構成されているため、使用するうちに劣化して、伸縮体が真っ直ぐに伸びなかったり渦巻状に巻かれなかったりしてしまう。一方、伸縮体は、他の部分（専管体等）とテープなどで一体化されているため、伸縮体が劣化した場合には、他の部分が劣化していないにもかかわらず、吹き戻し全体を廃棄しなければならず、非経済的である。しかも、健康促進や美容などを目的に吹き戻しを使用する場合、長期的・継続的に使用する必要があるが、伸縮体が劣化する度に吹き戻しを取り替えなければならず、ユーザの経済的負担が大きい。
【０００６】
一方、伸縮体を伸ばすのに要する吹く力（必要呼気力）は、主としてバネ材の弾性力に依存し、健康促進や美容などの使用目的に応じた弾性力を有するバネ材を、伸縮体に配設する必要がある。同様に、健康促進や美容などの使用目的に応じて、適正な空気量を吹き込まないと伸縮体が全長にわたって伸びないように、伸縮体の長さを適正に設定する必要がある。しかしながら、伸縮体が他の部分と一体となっているため、必要呼気力（弾性力）や必要空気量が異なる吹き戻しを使用したい場合には、ユーザは新たな吹き戻し全体を購入しければならず、経済的負担が大きく使い勝手が悪い。
【０００７】
そこでこの発明は、経済的で使い勝手が良い吹き戻しを提供することを目的とする。
【課題を解決するための手段】
【０００８】
上記課題を解決するために、請求項１の発明は、筒状で変形自在な伸縮体と、弾性を有し前記伸縮体の長手方向に沿って配設された線状体と、筒状で一端部が前記伸縮体の一端部に接続される専管体と、筒状で前記専管体の他端部側に設けられ使用者がくわえて空気を吹き込む口吹体と、を備え、前記口吹体から空気を吹き込むと前記伸縮体が伸び、空気を吹き込まない状態では、前記線状体の弾性力によって前記伸縮体が渦巻状に巻かれる吹き戻しであって、前記専管体の一端部の内面に周方向に沿ったリング溝が設けられ、該リング溝に弾性変形自在なオーリングが装着され、前記伸縮体の一端部を前記専管体の一端部内に挿入すると、前記オーリングが前記伸縮体の一端部を押圧して前記伸縮体と前記専管体とが接続され、前記押圧に抗して前記伸縮体の一端部を前記専管体の一端部から引き抜くと、前記伸縮体が前記専管体から取り外れる、ことを特徴とする。
【０００９】
請求項２の発明は、請求項１に記載の吹き戻しにおいて、前記リング溝は、前記専管体の他端部側から一端部側に向かって狭く形成され、前記口吹体から空気を吹き込むと前記オーリングが前記専管体の一端部側に位置する、ことを特徴とする。
【００１０】
請求項３の発明は、請求項２に記載の吹き戻しにおいて、前記専管体の一端部側に位置した前記オーリングを前記専管体の他端部側に移動させるための移動手段が、前記専管体の一端部に設けられている、ことを特徴とする。
【発明の効果】
【００１１】
請求項１の発明によれば、伸縮体の一端部を専管体の一端部内に挿入すると伸縮体と専管体とが接続され、伸縮体の一端部を専管体の一端部から引き抜くと伸縮体が専管体から取り外れる。このようにして、伸縮体と専管体とが着脱自在なため、使用によって伸縮体が劣化した場合に、新たな伸縮体を専管体に取り付ければよく、吹き戻し全体を廃棄する必要がない。つまり、伸縮体だけを取り替えればよく、専管体や口吹体は継続して使えるため、経済的である。
【００１２】
また、使用目的などに応じて必要呼気力や必要空気量を変えたい場合には、所望・所定の必要呼気力（弾性力）や必要空気量を有する伸縮体を専管体に取り付ければよく、吹き戻し全体を取り替える必要がない。つまり、ユーザは、所望の伸縮体だけを購入して取り付ければよいため、経済的負担が小さく使い勝手が良い。
【００１３】
請求項２の発明によれば、口吹体から空気を吹き込むとオーリングが専管体の一端部側、つまり、リング溝の狭い側に位置するため、オーリングがリング溝で押されて伸縮体の一端部を強く押圧する。その結果、伸縮体と専管体とを強固に接続することができる。
【００１４】
請求項３の発明によれば、リング溝の狭い側に位置したオーリングを広い側に移動させるための移動手段を備える。このため、オーリングがリング溝と伸縮体とで強く挟まれ、オーリングが伸縮体の一端部を強く押圧していても、移動手段でオーリングを移動させることで、強い押圧を解除して伸縮体の一端部を専管体の一端部から容易に引き抜くことができる。
【図面の簡単な説明】
【００１５】
【図１】この発明の実施の形態に係る吹き戻しを示す斜視図である。
【図２】図１の吹き戻しの分解斜視図である。
【図３】図１の吹き戻しの伸縮体が伸びた状態を示す平面図である。
【図４】図１の吹き戻しの伸縮体と専管体の接続前の状態を示す断面図である。
【図５】図１の吹き戻しの伸縮体と専管体の接続後の状態を示す断面図である。
【図６】図１の吹き戻しのリング溝周辺の構造を示す断面図である。
【図７】図１の吹き戻しの伸縮体を専管体に挿入した直後の状態を示す、リング溝周辺の断面図である。
【図８】図７の状態の後に、口吹体から空気を吹き込んだ状態を示す、リング溝周辺の断面図である。
【発明を実施するための形態】
【００１６】
以下、この発明を図示の実施の形態に基づいて説明する。
【００１７】
図１〜図８は、この実施の形態を示し、図１は、この実施の形態に係る吹き戻し１を示す斜視図であり、図２は、吹き戻し１の分解斜視図である。この吹き戻し１は、特に、健康促進や治療、美容などの目的に利用可能な吹き戻しであり、主として、伸縮体２と、線状体３と、専管体４と、口吹体５と、オーリング６と、移動スライダ（移動手段）７と、を備えている。
【００１８】
伸縮体２は、筒状で変形自在な袋状部であり、所定の厚み、強度、密度（単位面積当たりの重量）、耐久性などの材質（特性）を有する紙材を、素材として構成されている。この伸縮体２は、図３に示すように、空気が吹き込まれて膨らんだ状態で、断面が略円形となり、その外径が専管体４の一端部４１（この実施の形態では、移動スライダ７）の内径よりもやや小さく設定されている。
【００１９】
また、伸縮体２の長さ（専管体４内に挿入された部分を除く長さ）Ｌは、健康促進や治療、美容等の目的（吹き戻し１の使用目的）や、使用者の口腔機能状態や体調等の使用者状況などに応じて設定されている。すなわち、伸縮体２を全長Ｌにわたって伸ばすのに要する空気量が、目的や使用者状況などに応じて予め設定された適正空気量になるように、伸縮体２の長さＬが設定されている。
【００２０】
このような伸縮体２の一端部２１は、硬質の素材・紙材で構成され、空気の吹き込みの有無に関わらず常に略円筒状で、剛性が高く変形困難となっている。このため、後述するようにして、この一端部２１を専管体４の一端部４１内に挿入した際に、一端部２１をオーリング６で押圧・挟持できるようになっている。
【００２１】
線状体３は、弾性を有し伸縮体２の長手方向に沿って真っ直ぐに配設された線材である。すなわち、ステンレス製の針金で構成され、外力を加えない状態（伸縮体２に空気を吹き込まない状態）では、渦巻状・コイル状に巻かれ、真っ直ぐに伸ばして外力を解除すると、渦巻状に戻ろうとする弾性力が作用するものであり、その弾性力（弾性係数）は、所定の値に設定されている。すなわち、伸縮体２を伸ばすのに要する必要呼気力が、目的や使用者状況などに応じて設定された適正値になるように、換言すると、口吹体５から空気を吹き込む力（呼気圧）が適正値（所定値）以上でないと、伸縮体２が伸びないように、弾性力が所定値に設定されている。
【００２２】
ここで、１つの線状体３では所定値の弾性力を正確に得られない場合や、複数の線状体３によって所定値の弾性力をより正確かつ容易に得られる場合には、複数の線状体３が配設されている。すなわち、複数の線状体３が配設されることで、口吹体５から空気を吹き込む力が適正値（所定値）以上でないと、伸縮体２が伸びないようになっている。このような線状体３は、伸縮体２が渦巻状に巻かれる内輪側に、伸縮体２内に収容、配設されている。
【００２３】
専管体４は、略円筒状で、一端部４１が伸縮体２の一端部２１に接続される専管部である。すなわち、所定の材質を有する厚い紙材で構成された円筒体で、後述するように、その一端部４１内に伸縮体２の一端部２１を挿入したり引き抜いたりすることで、伸縮体２と着脱自在に接続されるようになっている。この専管体４の内径と長さは、使用者が容易に持つことができ、かつ、口吹体５から伸縮体２に空気を吹き込みやすいように設定されている。また、一端部４１内には、図６〜図８に示すように、伸縮体２の一端部２１の端面が当接する段差部４１ａが設けられ、これにより、伸縮体２の一端部２１の挿入量が規定されている。
【００２４】
口吹体５は、略円筒状で専管体４の他端部（反伸縮体２側の端部）４２側に設けられ、使用者が口にくわえて空気を吹き込む口吹部である。また、口吹体５には、マウスピース５１が装着自在となっている。このマウスピース５１は、抗菌加工が施された柔軟材料（例えば、シリコーン）から構成され、図１に示すように、半透明な略円筒状で、筒内に口吹体５を挿入して専管体４側に圧入することで、装着可能となっている。そして、このようなマウスピース５１を装着することで、使用者のくわえ心地が良好になるとともに、長期間繰り返し使用しても衛生状態を良好に維持することが可能になるものである。
【００２５】
次に、伸縮体２と専管体４の接続構造について説明する。すなわち、図４に示すように、専管体４の一端部４１の内面に、周方向に沿ったリング溝４３が設けられ、このリング溝４３に弾性変形自在なオーリング６が装着されている。
【００２６】
リング溝４３は、図６に示すように、断面形状が略凹状で、溝深さは、オーリング６を安定して装着でき、かつ、オーリング６が伸縮体２の一端部２１を所定の押圧力・圧力で押圧するように設定されている。一方、オーリング６は、ゴム製で所定の弾性・伸縮性を有し、シール材として使用されるＯリングで構成されている。このオーリング６の線形、外径、内径および弾性係数は、伸縮体２の一端部２１を所定の押圧力・圧力で押圧して伸縮体２と専管体４が適正に接続され、かつ、伸縮体２の一端部２１の挿入、引き抜きが困難でないように、設定されている。
【００２７】
そして、図５に示すように、伸縮体２の一端部２１を専管体４の一端部４１内に挿入すると、オーリング６が伸縮体２の一端部２１を押圧・挟持して、伸縮体２と専管体４とが接続される。また、この接続状態で、オーリング６の押圧に抗して伸縮体２の一端部２１を専管体４の一端部４１から引き抜くと、伸縮体２が専管体４から取り外れる。
【００２８】
また、リング溝４３は、専管体４の他端部４２側から一端部４１側に向かって狭く形成され、口吹体５から空気を吹き込むとオーリング６が専管体４の一端部４１側に位置する。すなわち、図６に示すように、専管体４の他端部４２側から一端部４１側に向かってリング溝４３の溝深さが浅くなるように、リング溝４３の溝底面４３ａが斜めに形成されている。そして、伸縮体２の一端部２１を専管体４の一端部４１内に挿入した直後は、図７に示すように、伸縮体２で押されて、オーリング６がリング溝４３内の他端部４２側（広スペース側）に位置する。
【００２９】
一方、口吹体５から空気を一度吹き込むと、図８に示すように、その空圧によって伸縮体２が専管体４の一端部４１側に押される。これに伴ってオーリング６も専管体４の一端部４１側に押されて、オーリング６がリング溝４３内の一端部４１側（狭スペース側）に位置する。これにより、オーリング６がリング溝４３の溝底面４３ａと伸縮体２とで強く挟まれ、オーリング６が伸縮体２の一端部２１を強く押圧する。
【００３０】
移動スライダ７は、専管体４の一端部４１側に位置したオーリング６を、専管体４の他端部４２側に移動させるための部材であり、専管体４の一端部４１に設けられている。すなわち、樹脂などの弾性材で構成され、図４に示すように、略円筒状で、外径が専管体４の一端部４１の内径よりもやや小さく設定され、一端側が専管体４の一端部４１内に挿入され、一端部がリング溝４３に位置している。また、移動スライダ７の一端部には、図６に示すように、外側に突出した係合部７１が形成され、この係合部７１が、リング溝４３の一端部４１側の溝側面４３ｂに係止することで、移動スライダ７が専管体４から抜けずに取り付けられている。
【００３１】
また、移動スライダ７の他端部には、外側に突出したツバ部７２が形成され、係合部７１がリング溝４３の溝側面４３ｂ側に位置した状態で、ツバ部７２と専管体４の一端部４１の端面との間に所定の隙間を有する。そして、図８に示すように、オーリング６がリング溝４３内の一端部４１側（狭スペース側）に位置した状態で、移動スライダ７を専管体４の他端部４２側つまりオーリング６側にスライドさせると、オーリング６が移動スライダ７の一端部（係合部７１）で押されてリング溝４３内の他端部４２側（広スペース側）に移動する。これにより、オーリング６による伸縮体２への押圧力、つまり、伸縮体２と専管体４との接続力が低下する。
【００３２】
このような構成の吹き戻し１では、使用者が口吹体５（マウスピース５１）から空気を吹き込むと、図３に示すように、空気が伸縮体２に流入して伸縮体２が伸び、空気を吹き込まない状態では、図１に示すように、線状体３の弾性力によって伸縮体２が渦巻状に巻き戻る。この際、口吹体５から空気を吹き込む力（呼気圧）が、目的や使用者状況などに応じて設定された適正値（所定値）以上でないと、伸縮体２が伸び続けていかず、また、目的や使用者状況などに応じて予め設定された空気量だけ吹き込まないと、伸縮体２が全長Ｌにわたって伸びない。従って、このような吹き戻し１を使用して伸縮体２の伸縮（吹き戻し）を繰り返すことで、目的や使用者状況などに応じた適正な吹き込み力での運動、訓練が行えるものである。
【００３３】
また、伸縮体２を取り替える場合には、移動スライダ７をオーリング６側にスライドさせ、オーリング６をリング溝４３内の広スペース側に移動させる。この状態で、伸縮体２の一端部２１を専管体４の一端部４１から引き抜いて、伸縮体２を専管体４から取り外す。そして、別の伸縮体２の一端部２１を専管体４の一端部４１内に挿入して、伸縮体２と専管体４とを接続する。
【００３４】
以上のように、この吹き戻し１によれば、伸縮体２の一端部２１を専管体４の一端部４１内に挿入すると伸縮体２と専管体４とが接続され、伸縮体２の一端部２１を専管体４の一端部４１から引き抜くと伸縮体２が専管体４から取り外れる。このようにして、伸縮体２と専管体４とが着脱自在なため、使用によって伸縮体２が劣化した場合に、新たな伸縮体２を専管体４に取り付ければよく、吹き戻し１全体を廃棄する必要がない。つまり、伸縮体２だけを取り替えればよく、専管体４や口吹体５などは継続して使えるため、経済的である。
【００３５】
また、使用目的などに応じて必要呼気力や必要空気量を変えたい場合には、所望・所定の必要呼気力（線状体３の弾性力）や必要空気量を有する伸縮体２を専管体４に取り付ければよく、吹き戻し１全体を取り替える必要がない。つまり、ユーザは、所望の伸縮体２だけを購入して取り付ければよいため、経済的負担が小さく使い勝手が良い。例えば、必要呼気力が低い伸縮体２を専管体４に取り付けて使用し、慣れた後に、必要呼気力が高い伸縮体２に順次取り替えて使用することで、目的や使用者状況などに応じた適正な吹き込み力での運動、訓練を行うことができる。
【００３６】
しかも、専管体４の一端部４１内に伸縮体２の一端部２１を挿入したり引き抜いたりするだけで、確実かつ容易、迅速に伸縮体２を専管体４に対して着脱することができる。
【００３７】
また、口吹体５から空気を吹き込むとオーリング６が専管体４の一端部４１側、つまり、リング溝４３の狭スペース側に位置するため、オーリング６がリング溝４３で押されて伸縮体２の一端部２１を強く押圧する。その結果、伸縮体２と専管体４とを強固に接続することができる。
【００３８】
さらに、リング溝４３の狭スペース側に位置したオーリング６を広スペース側に移動させるための移動スライダ７を備える。このため、オーリング６がリング溝４３と伸縮体２とで強く挟まれ、オーリング６が伸縮体２の一端部２１を強く押圧していても、移動スライダ７でオーリング６を移動させることで、強い押圧・挟持を解除して伸縮体２の一端部２１を専管体４の一端部４１から容易に引き抜くことができる。
【００３９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、移動手段を移動スライダ７で構成しているが、その他の構成（例えば、専管体４の外周面からリング溝４３に貫通する部材で、オーリング６を移動させる構成）であってもよい。この場合、専管体４の一端部４１に移動スライダ７が装着されないため、専管体４の一端部４１の内径が伸縮体２の一端部２１の外径よりもやや大きく設定される。
【符号の説明】
【００４０】
１        吹き戻し
２        伸縮体
２１      一端部
３        線状体
４        専管体
４１      一端部
４２      他端部
４３      リング溝
４３ａ    溝底面
４３ｂ    溝側面
５        口吹体
６        オーリング
７        移動スライダ（移動手段）
７１      係合部
【図１】
2017205226.tif 000003
【図２】
2017205226.tif 000004
【図３】
2017205226.tif 000005
【図４】
2017205226.tif 000006
【図５】
2017205226.tif 000007
【図６】
2017205226.tif 000008
【図７】
2017205226.tif 000009
【図８】
2017205226.tif 000010